【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
２つの外側端縁を有して上流の装置から発する連続的な印刷媒体のウェブ（９）を、前記連続的ウェブ（９）上へのさらなる印刷のために印刷システムに対して安定的な横方向位置に整列させるためのウェブ整列装置（１）であって、前記印刷システムは前記ウェブ整列装置（１）の下流に駆動システム（７，８）を有し、前記整列装置（１）は、
ウェブ（９）の導入位置を規定するための機械的手段（２）を含み、前記ウェブ（９）は前記機械的手段（２）と摺動または転がりで接触し、前記ウェブ（９）は張力のないループとして供給され、前記整列装置はさらに、
整列区域の端部での媒体単位幅当たりの張力を、前記印刷システムの前記駆動システム（７，８）により与えられる下流の媒体単位幅当たりの張力と比較して、減じる制動手段（６）と、
前記印刷媒体と湾曲した表面とが摩擦接触して摺動する領域を含む、湾曲したまたは部分的に湾曲した第１のウェブ運動軌道を規定する手段とを含み、前記湾曲したまたは部分的に湾曲した第１のウェブ運動軌道を規定するための手段は、前記制動手段（６）の上流に場所決めされ、前記湾曲したまたは部分的に湾曲した第１のウェブ運動軌道の摺動区域は、有限の長さＬ１にわたって延在し、前記整列装置はさらに、
２つのサイドガイド（４，４’５，５’）を備えた調整可能横方向案内手段を含み、前記２つのサイドガイド（４，４’５，５’）の１つが前記ウェブ（９）の各側部端縁上にあり、前記調整可能横方向案内手段は、前記印刷媒体の２つの外側端縁のいずれかまたは両方と接触するように幅が調節可能であり、こうして２つの対向する方向において前記印刷媒体が利用可能である横方向運動ダイメンションを限定し、前記調整可能横方向案内手段は前記印刷媒体の有限の第２のウェブ運動軌道にわたって延在し、前記ウェブ（９）の両方の側部端縁におけるサイドガイド（４，４’５，５’）を備えた前記有限の第２のウェブ運動軌道は、前記導入位置を規定するための手段（２）よりも遠く上流方向に延在し、かつ前記印刷媒体と前記湾曲したまたは部分的に湾曲した第１の軌道を規定する手段とが摺動接触する前記第１の軌道の少なくとも一部を含み、Ｌ２は、前記湾曲したまたは部分的に湾曲した第１のウェブ運動軌道の摺動区域の一部の長さであり、前記一部は前記有限の第２のウェブ運動軌道と共通であり、
Ｌ１が、Ｌ１＞ｍａｘ（５０ｍｍ，Ｐ／４）の関係を満たし、
Ｌ２が、Ｌ２＞２／３＊ｍａｘ（５０ｍｍ，Ｐ／４）の関係を満たし、ここでＰは印刷媒体の幅に対応することを特徴とする、装置。
【請求項２】
前記制動手段（６）は、整列区域の端部での媒体（９）単位幅当たりの張力を、前記印刷システムの前記駆動システム（７，８）により与えられる下流の媒体（９）単位幅当たりの張力と比較して、少なくとも３分の１に減じるよう適合される、請求項１に記載の装置（１）。
【請求項３】
有限の第２のウェブ運動軌跡（Lguided）は、Lguided＞ｍａｘ（５０ｍｍ，媒体幅／４）の関係を満たす、請求項１または請求項２に記載の装置。
【請求項４】
前記張力のないループは、ウェブ材料１メートル坪量当たり２×１０−２Ｎ／ｍ以下の張力を有する、前記請求項のいずれかに記載の装置。
【請求項５】
前記導入位置規定手段（２）は、６Ｎ／ｍの最小張力よりも大きく、整列区域における紙の張力を増大させる、１つ以上の摩擦誘導ローラまたは固定シャフトを含む、前記請求項のいずれかに記載の装置（１）。
【請求項６】
前記湾曲したまたは部分的に湾曲した第１の運動軌道を規定するための手段は、前記ウェブの幅の少なくとも一部にわたって前記ウェブと接触する１つ以上の固定ローラまたは湾曲シェル（３，３’，３ａ，３ｂ，３ｃ）を含み、これら固定ローラまたは固定シェルのうちの少なくとも１つは、３２ｍｍよりも大きな曲率半径を有する、前記請求項のいずれかに記載の装置（１）。
【請求項７】
前記横方向案内手段は、前記ウェブ（９）に対して横方向に調整可能である調整可能平行フランジ（４’，５’）を含む、前記請求項のいずれかに記載の装置（１）。
【請求項８】
前記湾曲したまたは部分的に湾曲した第１の運動軌道を規定するための手段は、前記ウェブ（９）の幅の少なくとも一部にわたって前記ウェブ（９）と接触する１つ以上の湾曲シェルまたは固定ローラ（３，３’，３ａ，３ｂ，３ｃ）を含み、前記横方向案内手段（４，４’，５，５’）は、前記ウェブ（９）に対して横方向に調整可能である調整可能平行フランジを含み、管状延長部（４’，５’）は、前記固定ローラまたは湾曲シェル（３，３’，３ａ，３ｂ，３ｃ）の端部セグメントを含み、前記端部セグメントは前記調整可能フランジと一体化されてそれらとともに運動可能である、請求項１から請求項５のいずれかに記載の装置（１）。
【請求項９】
前記整列装置内にある場合にウェブにおける皺の発生を防止するための、印刷媒体を曲げるためのさらなる手段（１１）をさらに含む、請求項６から請求項８のいずれかに記載の装置（１）。
【請求項１０】
前記湾曲したまたは部分的に湾曲した第１の運動軌道を規定するための手段は、軸を中心として互いに対して相対的に回転可能である少なくとも２つの湾曲シェル（３ａ，３ｂ，３ｃ）の組合わせを含み、前記湾曲したまたは部分的に湾曲した第１の運動軌道を規定するための手段の長さは前記少なくとも２つの湾曲シェル（３ａ，３ｂ，３ｃ）の間の相対的回転により決定される、前記請求項のいずれかに記載の装置（１）。
【請求項１１】
前記湾曲シェル（３ａ，３ｂ，３ｃ）のうちの１つの端縁は螺旋形状であり、前記湾曲シェル（３ａ，３ｂ，３ｃ）のうちの別のものの端縁の形状と一致する、請求項１０に記載の装置（１）。
【請求項１２】
前記有限の第２のウェブ運動軌跡（Lguided）は、Lguided＞ｍａｘ（５０ｍｍ，媒体幅／４）の関係を満たす、前記請求項のいずれかに記載の装置（１）。
【請求項１３】
上流の装置から発する連続的な印刷媒体のウェブ（９）を、前記連続的ウェブ（９）上へのさらなる印刷のために印刷システムに対して安定的な横方向位置に整列させるための方法であって、前記印刷システムは駆動システム（７，８）を有し、前記方法は、
前記印刷システムの駆動システム（７，８）によって与えられる下流での張力と比較して減じられた前記印刷媒体の張力で印刷媒体を案内するステップを含み、前記印刷媒体は、ウェブ移動方向における湾曲したまたは部分的に湾曲した第１のウェブ運動軌道を規定する手段に沿って摺動区域において摩擦摺動接触に入る前に、張力のないループを形成し、前記湾曲したまたは部分的に湾曲した第１のウェブ運動軌道の摺動区域は、有限の長さＬ１にわたって延在し、前記方法はさらに、
前記印刷媒体を、前記印刷媒体と前記湾曲したまたは部分的に湾曲した軌道を規定する手段とが摩擦摺動接触する第１の軌道の少なくとも一部を含む有限の第２のウェブ運動軌道に沿った調整可能な横方向案内手段（４，４’、５，５’）により、横方向において両方の横方向端縁を案内することにより、該印刷媒体をセンタリングするステップを含み、Ｌ２は、前記湾曲したまたは部分的に湾曲した第１のウェブ運動軌道の摺動区域の一部の長さであり、前記一部は前記有限の第２のウェブ運動軌道（Ｌ２）と共通であり、
Ｌ１が、Ｌ１＞ｍａｘ（５０ｍｍ，Ｐ／４）の関係を満たし、
Ｌ２が、Ｌ２＞２／３＊ｍａｘ（５０ｍｍ，Ｐ／４）の関係を満たし、ここでＰは印刷媒体の幅に対応することを特徴とする、方法。
【請求項１４】
前記張力のないループは、ウェブ材料１平方メートル当たり１グラム当たり２×１０−２Ｎ／ｍ以下の張力を生成する、請求項１３に記載の方法。
【請求項１５】
前記サイドガイド（４，４’、５，５’）は、印刷媒体幅Ｐと比較した関係であるＰ−２ｍｍ＜Ｗ＜Ｐの関係を満たす距離Ｗに調整される、請求項１３または請求項１４に記載の方法。
【請求項１６】
前記サイドガイド（４，４’、５，５’）は、印刷媒体幅Ｐと比較した関係であるＰ−１ｍｍ＜Ｗ＜Ｐの関係を満たす距離Ｗに調整される、請求項１３または請求項１４に記載の方法。
【請求項１７】
有限の第２のウェブ運動軌跡（Lguided）は、Lguided＞ｍａｘ（５０ｍｍ，媒体幅／４）の関係を満たす、請求項１３から請求項１６のいずれかに記載の方法。
【請求項１８】
前記調整可能横方向案内手段および前記湾曲したまたは部分的に湾曲した第１のウェブ運動軌道を規定する手段は、整列区域を規定するウェブ整列手段の一部であり、前記制動手段（６）は、整列区域の端部での媒体（９）単位幅当たりの張力を、前記印刷システムの前記駆動システム（７，８）により与えられる下流の媒体（９）単位幅当たりの張力と比較して、少なくとも３分の１に減じる、請求項１３から請求項１７のいずれかに記載の方法。